(57)【特許請求の範囲】
【請求項１】
壁面に沿い固定されるベースプレートの両端部に前記壁面から張り出すアーム部を備えたコの字形のブラケットに対し、前記壁面と対峙する側からカバー本体を装着して前記ブラケットを被覆するカバー構造であって、前記ブラケットのカバー本体と対峙する面に該カバー本体側へ向けて張り出し且つその張り出し方向の先端側に向かうに従い広幅となるよう基端側に括れ部を備えた係止片を設け、前記カバー本体のブラケットと対峙する面に前記係止片の先端側を撓み変形して受け入れ且つその受け入れ後に変形状態から元の状態に復帰して前記係止片の基端側の括れ部を挾持するように係合する挾持部を設け、前記ブラケットの各アーム部の基端側に該各アーム部の張り出し方向に沿わせて係止片を設けると共に、該係止片と対応させてカバー本体側に挾持部を設け、前記各アーム部の係止片の位置から先端側にずれた適宜位置と、当該位置に対応するカバー本体側の適宜位置との間に、該カバー本体の装着状態を保持し得るよう更なる係合手段を設けたことを特徴とするカバー構造。
【請求項２】
カバー本体側の係合手段と近接する位置に、該係合手段の係合を解除する操作を補助するための操作孔を設けたことを特徴とする請求項１に記載のカバー構造。
【発明の詳細な説明】
【技術分野】
【０００１】
本発明は、カバー構造に関するものである。
【背景技術】
【０００２】
長距離輸送を目的とした大型トラック等においては、その運転室内における座席の直後に仮眠用のベッドルームを備えたものがあるが、キャブ上面にＦＲＰ製のウィンドデフレクタを搭載したハイルーフ車に関し、前記ウィンドデフレクタの内部空間の後方部分を活用して前記ベッドルームを上下方向に拡張し、ここに上下二段のベッドを備えることが提案されている。
【０００３】
そして、上段側のベッドの後端部をキャブのバックパネルに対し傾動自在にヒンジ連結し、不要時に前端部側を跳ね上げてバックパネルに沿うように折り畳んで収容し且つ使用時には水平状態に展開して前端部を天井部からベルトで吊り下げ支持し得るようにすることが考えられている。
【０００４】
ここで、上段側のベッドの後端部をバックパネルにヒンジ連結するに際しては、壁面に沿い固定されるベースプレートと、該ベースプレートの両端部に前記壁面から張り出すアーム部とを備えたコの字形のブラケットを使用し、該ブラケットが十分な強度要件を満たすようにする必要がある。
【０００５】
ただし、このようなコの字形のブラケットをベッドルーム内で剥き出しの状態にしてしまうと、壁面から張り出した各アーム部のエッジ部分に乗員がぶつかる等して危険であるため、前記ブラケットに対し樹脂製のカバー本体を装着して乗員の保護を図ることが検討されている。
【０００６】
尚、車両の運転室内における一般的なカバーの取り付け構造に関連する先行技術文献情報としては下記の特許文献１等があり、また、乗り物用折り畳み式ベッドに関連する先行技術文献情報としては下記の特許文献２等がある。
【特許文献１】特開２００４−５８７６７号公報
【特許文献２】特開平９−２２０９６８号公報
【発明の開示】
【発明が解決しようとする課題】
【０００７】
しかしながら、このようにコの字形のブラケットをカバー本体で被覆するに際し、リテーナ等の締結具を用いてカバー本体の取り付けを行うようにすると、その取り付け作業に手間がかかる上、部品点数も増えてコストの高騰を招いてしまうという問題があった。
【０００８】
本発明は上述の実情に鑑みてなしたもので、リテーナ等の締結具を用いることなくブラケットに対しカバー本体を単体で簡便に装着し得る低コストのカバー構造を提供することを目的とする。
【課題を解決するための手段】
【０００９】
本発明は、壁面に沿い固定されるベースプレートの両端部に前記壁面から張り出すアーム部を備えたコの字形のブラケットに対し、前記壁面と対峙する側からカバー本体を装着して前記ブラケットを被覆するカバー構造であって、前記ブラケットのカバー本体と対峙する面に該カバー本体側へ向けて張り出し且つその張り出し方向の先端側に向かうに従い広幅となるよう基端側に括れ部を備えた係止片を設け、前記カバー本体のブラケットと対峙する面に前記係止片の先端側を撓み変形して受け入れ且つその受け入れ後に変形状態から元の状態に復帰して前記係止片の基端側の括れ部を挾持するように係合する挾持部を設け、前記ブラケットの各アーム部の基端側に該各アーム部の張り出し方向に沿わせて係止片を設けると共に、該係止片と対応させてカバー本体側に挾持部を設け、前記各アーム部の係止片の位置から先端側にずれた適宜位置と、当該位置に対応するカバー本体側の適宜位置との間に、該カバー本体の装着状態を保持し得るよう更なる係合手段を設けたことを特徴とするものである。
【００１０】
而して、ブラケット側の係止片に対しカバー本体側の挾持部を撓み変形させて嵌め込むと、該挾持部が変形状態から元の状態に復帰した時に前記係止片の基端側の括れ部を挾持するように係合し、リテーナ等の締結具を用いなくても、ブラケットに対しカバー本体が単体で簡便に装着されることになる。
【００１１】
しかも、挾持部が変形状態から元の状態に復帰して係止片の基端側の括れ部を挾持するように係合した際には、音や感触により確実に係合できたことを確認することが可能となるため、ブラケットに対するカバー本体の組み付け不良が未然に防止されるという付帯的な効果も得られる。
【００１３】
尚、このように設けられた係止片と挾持部との係合は、ブラケット側に対しカバー本体側が係止片回りに回転した時に最も外れ易くなるが、このような回転が係合手段による新たな係合で阻止される結果、ブラケット側の係止片とカバー本体側の挾持部との係合が外れ難くなる。
【００１４】
また、カバー本体側の係合手段と近接する位置に、該係合手段の係合を解除する操作を補助するための操作孔を設けることも可能であり、このようにすれば、前記操作孔から治具を挿し込んで係合手段の係合を外すことが可能となる。
【発明の効果】
【００１５】
上記した本発明のカバー構造によれば、下記の如き種々の優れた効果を奏し得る。
【００１６】
（Ｉ）本発明の請求項１に記載の発明によれば、リテーナ等の締結具を用いることなくブラケットに対しカバー本体を単体で簡便に装着することができるので、その取り付け作業に手間がかからなくなって作業労力の大幅な軽減化を図ることができ、しかも、部品点数を削減してコストの大幅な削減を図ることもでき、更には、音や感触により確実に係合できたことを確認することができてブラケットに対するカバー本体の組み付け不良を防止することもできる。
【００１７】
（ＩＩ）本発明の請求項１に記載の発明によれば、ブラケット側に対しカバー本体側が係止片回りに回転することを係合手段による新たな係合で阻止することができるので、ブラケット側の係止片とカバー本体側の挾持部との係合を外れ難くすることができ、より安定したカバー本体の装着状態を得ることができる。
【００１８】
（ＩＩＩ）本発明の請求項２に記載の発明によれば、工場内での検査や、交換、修理等のためにカバー本体をブラケットから取り外す必要が生じた場合に、操作孔から治具を挿し込んで係合手段の係合を外すことができるので、後はブラケット側に対しカバー本体側を係止片回りに回転させて係止片と挾持部との係合を外すだけで手間をかけずにカバー本体を取り外すことができる。
【発明を実施するための最良の形態】
【００１９】
以下本発明の実施の形態を図面を参照しつつ説明する。
【００２０】
図１〜図５は本発明を実施する形態の一例を示すもので、ハイルーフ車の座席の直後のベッドルームに備えた上下二段のベッドのうちの上段側のベッドをヒンジ連結するためのブラケットに適用した場合を例示している。
【００２１】
図１に示す如く、上段側のベッド１の後端部に傾動軸２が設けられ、該傾動軸２がキャブのバックパネル３（壁面）に取り付けられたブラケット４により枢支されており、該ブラケット４には、乗員の保護を図るための樹脂製のカバー本体５が装着されている。
【００２２】
図２に示す如く、前記ブラケット４は、バックパネル３に沿い固定されるベースプレート６と、該ベースプレート６の両端部に前記バックパネル３から張り出すアーム部７を備えてコの字形を成し、該各アーム部７の先端側の軸孔８で前記上段側のベッド１の傾動軸２を軸支するようになっている。
【００２３】
また、前記カバー本体５は、前記ブラケット４の正面部分を広範囲に被覆するフロントカバー部９と、該フロントカバー部９の左右両端部でブラケット４側の各アーム部７を左右方向外側から回り込んで被覆するサイドカバー部１０とにより主構造を成し、以下に詳述する二種類の係合手段により前記ブラケット４に対し装着されるようになっている。
【００２４】
即ち、図３に側方からの断面図で示しているように、ここに図示している例では、ブラケット４の各アーム部７がベースプレート６の両端部から斜め上方に延びているが、これら各アーム部７のカバー本体５と対峙する端面における下部側（基端側）に、カバー本体５側へ向けて張り出し且つその張り出し方向の先端側に向かうに従い広幅となるよう基端側に括れ部１１を備えた係止片１２が、前記各アーム部７の張り出し方向に沿うように一体成形されている。
【００２５】
他方、前記カバー本体５のブラケット４と対峙する面における前記各係止片１２と対応する位置には、前記係止片１２の先端側を撓み変形して受け入れ且つその受け入れ後に変形状態から元の状態に復帰して前記係止片１２の基端側の括れ部１１を挾持するように係合する挾持部１３が設けられている。
【００２６】
より具体的には、上側のリブ１４と下側の係合爪１５とにより挾持部１３が構成されており、主として下側の係合爪１５が下向きに撓んで係止片１２の先端側を受け入れ、その受け入れ後に係合片１２の上下の括れ部１１をリブ１４と係合爪１５とで縦方向から挾持するようになっている。
【００２７】
ここで、図４に示すカバー本体５の背面図から判る通り、前記リブ１４は、カバー本体５の幅方向に延在して左右のサイドカバー部１０に連結されるようになっており、前記の係止片１２と挾持部１３との係合時に前記リブ１４にかかる荷重がサイドカバー部１０にも伝達されて分担されるようになっている。
【００２８】
更に、これら係止片１２と挾持部１３とから成る一つ目の係合手段に加え、本形態例においては、各アーム部７の係止片１２の位置から上部側（先端側）にずれた適宜位置に掛止孔１６が開口されており、カバー本体５のブラケット４と対峙する面における前記各掛止孔１６の位置と対応する位置に、ブラケット４側に向けて延びて先端を前記各掛止孔１６に掛止し得るようにした掛止爪１７が一体形成されていて、これら掛止孔１６と掛止爪１７とにより二つ目の係合手段が構成されるようにしてある（図２、図３、図４参照）。
【００２９】
ここで、図５に上方からの断面図で示しているように、前記各掛止爪１７は、各アーム部７に対し左右方向内側から掛止されるように配置されており、カバー本体５の各サイドカバー部１０における前記掛止孔１６と近接する位置に設けた操作孔１８（図６参照）から短冊状の治具１９を挿入して掛止孔１６から掛止爪１７を押し込むことにより、前記掛止孔１６及び掛止爪１７の係合が解除されるようにしてある。
【００３０】
而して、図７に示す如く、バックパネル３に取り付けられたコの字形のブラケット４にカバー本体５を装着する場合、ブラケット４側の各アーム部７の掛止孔１６に対しカバー本体５側の掛止爪１７を先行して係合させ、然る後に、図８に示す如く、掛止孔１６と掛止爪１７の係合箇所を中心に矢印Ａ方向にカバー本体５を回転させ、ブラケット４側の係止片１２に対しカバー本体５側の挾持部１３を撓み変形（主として下側の係合爪１５が下向きに撓ませる）させて嵌め込むと、該挾持部１３が変形状態から元の状態に復帰した時に前記係止片１２の上下の括れ部１１をリブ１４と係合爪１５とで縦方向から挾持するように係合が成され、リテーナ等の締結具を用いなくても、ブラケット４に対しカバー本体５が単体で簡便に装着されることになる。
【００３１】
しかも、挾持部１３が変形状態から元の状態に復帰して係止片１２の基端側の括れ部１１を挾持するように係合した際には、音や感触により確実に係合できたことを確認することが可能となるため、ブラケット４に対するカバー本体５の組み付け不良が未然に防止されるという付帯的な効果も得られる。
【００３２】
尚、このように設けられた係止片１２と挾持部１３との係合は、ブラケット４側に対しカバー本体５側が係止片１２回りに回転した時に最も外れ易くなるが、このような回転については、掛止孔１６と掛止爪１７とから成る二つ目の係合手段による新たな係合で阻止されることになり、ブラケット４側の係止片１２とカバー本体５側の挾持部１３との係合が外れ難くなる。
【００３３】
また、カバー本体５の各サイドカバー部１０における前記掛止孔１６と近接する位置に操作孔１８を設けているので、該操作孔１８から短冊状の治具１９を挿入して前記掛止孔１６及び掛止爪１７の係合を外すことが可能となる。
【００３４】
従って、上記形態例によれば、リテーナ等の締結具を用いることなくブラケット４に対しカバー本体５を単体で簡便に装着することができるので、その取り付け作業に手間がかからなくなって作業労力の大幅な軽減化を図ることができ、しかも、部品点数を削減してコストの大幅な削減を図ることもでき、更には、音や感触により確実に係合できたことを確認することができてブラケット４に対するカバー本体５の組み付け不良を防止することもできる。
【００３５】
また、ブラケット４側に対しカバー本体５側が係止片１２回りに回転することを、掛止孔１６と掛止爪１７とから成る二つ目の係合手段による新たな係合で阻止することができるので、ブラケット４側の係止片１２とカバー本体５側の挾持部１３との係合を外れ難くすることができ、より安定したカバー本体５の装着状態を得ることができる。
【００３６】
更に、工場内での検査や、交換、修理等のためにカバー本体５をブラケット４から取り外す必要が生じた場合に、操作孔１８から短冊状の治具１９を挿し込んで前記掛止孔１６及び掛止爪１７の係合を外すことができるので、後はブラケット４側に対しカバー本体５側を係止片１２回りに回転させて係止片１２と挾持部１３との係合を外すだけで手間をかけずにカバー本体５を取り外すことができる。
【００３７】
尚、本発明のカバー構造は、上述の形態例にのみ限定されるものではなく、図１〜図８の形態例においては、ハイルーフ車の座席の直後のベッドルームに備えた上下二段のベッドのうちの上段側のベッドをヒンジ連結するためのコの字形のブラケットに適用した場合を例示しているが、これ以外の用途のコの字形のブラケットを被覆するカバー構造にも同様に適用し得ること、その他、本発明の要旨を逸脱しない範囲内において種々変更を加え得ることは勿論である。
【図面の簡単な説明】
【００３８】
【図１】本発明を実施する形態の一例を示す側面図である。
【図２】図１のブラケット及びカバー本体を分解して示す斜視図である。
【図３】図１のカバー本体を側方から見た断面図である。
【図４】図１のカバー本体の背面図である。
【図５】図１のカバー本体を上方から見た断面図である。
【図６】図１のカバー本体の側面図である。
【図７】図１のブラケットにカバー本体を装着する前の状態を示す断面図である。
【図８】図７のブラケットへのカバー本体の装着手順を説明する断面図である。
【符号の説明】
【００３９】
３  バックパネル（壁面）
４  ブラケット
５  カバー本体
６  ベースプレート
７  アーム部
１１  括れ部
１２  係止片
１３  挾持部
１４  リブ
１５  係合爪
１６  掛止孔（係合手段）
１７  掛止爪（係合手段）
１８  操作孔
【図１】
0005253001.tif 000002
【図２】
0005253001.tif 000003
【図３】
0005253001.tif 000004
【図４】
0005253001.tif 000005
【図５】
0005253001.tif 000006
【図６】
0005253001.tif 000007
【図７】
0005253001.tif 000008
【図８】
0005253001.tif 000009